(57)【要約】【課題】食器洗浄機における搬送機構の保守、点検等のメンテナンスを容易に可能にする構成を提供する。【解決手段】本考案の一実施形態に係る食器洗浄機１０における搬送機構１４は、食器が載置可能な複数の回転支持体３０を備える交換式搬送ユニット６０と、該ユニットの複数の回転支持体の各々がそのままの位置で回転するようにそれらを駆動する駆動機構３２とを備える。ユニット６０において、複数の回転支持体３０の各々は、食器の搬送方向に交差する方向に延在し、他の回転支持体から前記搬送方向に離間配置される。駆動機構３２は、駆動歯車３４と、回転支持体３０の各々に対して設けられた被駆動歯車３８と、それらに架け渡された環状動力伝達体４０と、環状動力伝達体の被駆動歯車への接触状態を調節する調節機構７０とを備えている。【選択図】図１
0003228465.tif 000002
【実用新案登録請求の範囲】
【請求項１】
食器洗浄機における搬送機構であって、
食器が載置可能な複数の回転支持体を備える少なくとも１つの交換式搬送ユニットであって、各交換式搬送ユニットにおいて、前記複数の回転支持体の各々は、食器の搬送方向に交差する方向に延在するように配置されるとともに、他の回転支持体から前記搬送方向に離間配置される、少なくとも１つの交換式搬送ユニットと、
該少なくとも１つの交換式搬送ユニットの前記複数の回転支持体の各々がそのままの位置で回転するように該複数の回転支持体を駆動するように構成された駆動機構であって、駆動歯車と、前記回転支持体の各々に対して設けられた被駆動歯車と、前記駆動歯車と前記被駆動歯車とに架け渡される環状動力伝達体と、前記環状動力伝達体の前記被駆動歯車への接触を調節する調節機構とを備えている、駆動機構と
を備えた、搬送機構。
【請求項２】
複数の前記交換式搬送ユニットは、前記搬送方向に並べられている、
請求項１に記載の搬送機構。
【請求項３】
前記調節機構の作動により、前記環状動力伝達体は前記被駆動歯車と噛み合う搬送状態と、前記被駆動歯車との噛み合いを脱することが可能な交換状態とのうちのいずれかに動かされる、
請求項１又は２に記載の搬送機構。
【請求項４】
請求項１から３のいずれか一項に記載の搬送機構を備えた食器洗浄機。
【請求項５】
前記複数の回転支持体の鉛直方向下側に配置された複数の洗浄液吐出部を有する洗浄液吐出システムを備え、
前記複数の洗浄液吐出部から吐出の洗浄液が前記複数の回転支持体の間から該複数の回転支持体の上側に直接的に通過するように、前記複数の洗浄液吐出部は配置されている、
請求項４に記載の食器洗浄機。
【請求項６】
食器が載置可能な複数の回転支持体を備える交換式搬送ユニットであって、
前記複数の回転支持体の各々は、食器の搬送方向に交差する方向に延在するように配置されるとともに、他の回転支持体から前記搬送方向に離間配置されている、
交換式搬送ユニット。
【請求項７】
前記複数の回転支持体の各々には、被駆動歯車が設けられている、
請求項６に記載の交換式搬送ユニット。
【考案の詳細な説明】
【技術分野】
【０００１】
本考案は、社員食堂、レストラン、学校、病院などで用いられる業務用の食器洗浄機に関し、特に食器洗浄機における搬送機構及び交換式搬送ユニットに関する。
【背景技術】
【０００２】
従来の食器洗浄機には、コンベヤにより食器を搬送する所謂コンベヤ型食器洗浄機がある。コンベヤ型食器洗浄機の一例においては、複数の食器は、所定の速度で搬送する無端のコンベヤベルト上に順次載置され、主洗浄室及びすすぎ洗浄室内を通過する。これらの主洗浄室及びすすぎ洗浄室においては、常時、洗浄液およびすすぎ水が噴出されており、コンベアベルトによって搬送される食器は、主洗浄室において洗浄工程、すすぎ洗浄室においてすすぎ工程を施された後に、後続の工程に移行される。このようなコンベヤ型食器洗浄機に関する一提案を、例えば特許文献１は開示する。
【０００３】
しかし、コンベヤ型食器洗浄機においては、無端のコンベヤベルトの移動に伴って、その上に載置された食器がそのまま搬送されるので、コンベヤベルトの部材の死角になった食器の部位には、直接的に洗浄水がかからなかった。これは、洗浄不良をもたらす要因であり、改善が望まれる。
【０００４】
そこで、本考案者は、鋭意研究し、食器洗浄機における食器の洗浄性能を高めることを可能にする、食器洗浄機における搬送機構を創案した。この搬送機構は、食器が載置可能に設けられる複数の回転支持体であって、各々は、他の回転支持体から食器の搬送方向に離間配置される、複数の回転支持体と、該複数の回転支持体の各々がそのままの位置で回転するように該複数の回転支持体を駆動するように構成された駆動機構とを備えることを特徴として有する（特許文献２参照）。
【先行技術文献】
【特許文献】
【０００５】
【特許文献１】特開平６−２４５８９０号公報
【特許文献２】実用新案登録第３２２２７２８号公報
【考案の概要】
【考案が解決しようとする課題】
【０００６】
本考案者は、更なる鋭意研究をし、以下の考案をなすに至った。本考案の目的は、食器洗浄機における搬送機構の保守、点検等のメンテナンスを容易に可能にする構成を提供することにある。
【課題を解決するための手段】
【０００７】
上記目的を達成するために、本考案の一態様は、
食器洗浄機における搬送機構であって、
食器が載置可能な複数の回転支持体を備える少なくとも１つの交換式搬送ユニットであって、各交換式搬送ユニットにおいて、前記複数の回転支持体の各々は、食器の搬送方向に交差する方向に延在するように配置されるとともに、他の回転支持体から前記搬送方向に離間配置される、少なくとも１つの交換式搬送ユニットと、
該少なくとも１つの交換式搬送ユニットの前記複数の回転支持体の各々がそのままの位置で回転するように該複数の回転支持体を駆動するように構成された駆動機構であって、駆動歯車と、前記回転支持体の各々に対して設けられた被駆動歯車と、前記駆動歯車と前記被駆動歯車とに架け渡される環状動力伝達体と、前記環状動力伝達体の前記被駆動歯車への接触を調節する調節機構とを備えている、駆動機構と
を備えた、搬送機構
を提供する。
【０００８】
好ましくは、複数の前記交換式搬送ユニットは、前記搬送方向に並べられる。好ましくは、前記調節機構の作動により、前記環状動力伝達体は前記被駆動歯車と噛み合う搬送状態と、前記被駆動歯車との噛み合いを脱することが可能な交換状態とのうちのいずれかに動かされるとよい。
【０００９】
本考案は、上記搬送機構を備えた食器洗浄機にも存する。この食器洗浄機は、前記複数の回転支持体の鉛直方向下側に配置された複数の洗浄液吐出部を有する洗浄液吐出システムを備え、前記複数の洗浄液吐出部から吐出の洗浄液が前記複数の回転支持体の間から該複数の回転支持体の上側に直接的に通過するように、前記複数の洗浄液吐出部は配置されているとよい。
【００１０】
また、本考案は、交換式搬送ユニットにも存する。この交換式搬送ユニットは、好ましくは、食器が載置可能な複数の回転支持体を備える交換式搬送ユニットである。前記複数の回転支持体の各々は、食器の搬送方向に交差する方向に延在するように配置されるとともに、他の回転支持体から前記搬送方向に離間配置されているとよい。この交換式搬送ユニットにおいて、前記複数の回転支持体の各々には、被駆動歯車が設けられているとよい。
【考案の効果】
【００１１】
本考案の上記一態様によれば、上記構成を備えるので、食器洗浄機における搬送機構の保守、点検等のメンテナンスを容易に可能にする。
【図面の簡単な説明】
【００１２】
【図１】本考案の一実施形態に係る搬送機構を備えた食器洗浄機の概略構成図である。
【図２】図１の搬送機構の交換式搬送ユニットの構成を示す図である。
【図３】図１の搬送機構の一部を表す図である。
【図４】本考案の実施形態に係る搬送機構の、更なる構成を示す図である。
【図５】本考案の実施形態に係る搬送機構の、更に別の構成を示す図である。
【考案を実施するための形態】
【００１３】
以下、本考案に係る実施形態を添付図に基づいて説明する。同一の部品（又は構成）には同一の符号を付してあり、それらの名称及び機能も同じである。したがって、それらについての詳細な説明は繰返さない。
【００１４】
本考案の一実施形態に係る食器洗浄機１０の概略構成を図１に示す。食器洗浄機１０は、洗浄部１２と、該洗浄部１２に食器Ｔの搬送を行うように設けられた搬送機構１４とを備える。なお、ここでは、食器洗浄機１０の被洗浄体は食器Ｔであり、幾つかの食器Ｔａ、Ｔｂ、Ｔｃを単に模式的に例示する。被洗浄体は、食器に限定される必要はない。つまり、本考案は、食器洗浄機１０が食器以外の物を洗浄することを排除するものではないが、好ましくは、食器洗浄器１０は、食器Ｔの洗浄に向けられている。
【００１５】
洗浄部１２には、洗浄液吐出システムのうちの複数の洗浄液吐出部（以下、吐出部）１６が設けられている。吐出部１６の各々は洗浄液を吐出するように構成されている。吐出部１６は、図示しないポンプにより圧送されてくる洗浄液を特に噴射するとよく、好ましくはノズル形状の吐出口を有する。洗浄部１２で吐出部１６から吐出される洗浄液は洗剤を含んでもよいし含まなくてもよい。ここでは、複数の吐出部１６のうちの、搬送方向ＣＤの上流側の複数の吐出部１６からは洗剤を含む洗浄液を吐出し、それ以外、具体的には搬送方向ＣＤの下流側の複数の吐出部１６からは水のみからなる洗浄液を吐出するように、洗浄液吐出システムは実質的に２系統の洗浄液供給システムを有する。洗剤入り洗浄液を吐出する上流側の吐出部１６を備えた箇所が洗浄室１５のうちの主洗浄室を実質的に構成し、水のみからなる洗浄液つまりすすぎ水を吐出する下流側の吐出部１６を備えた箇所が洗浄室１５のうちのすすぎ洗浄室を実質的に構成する。これら主洗浄室とすすぎ洗浄室とを分けるように、洗浄部１２への入口及び出口に設けるようなカーテンが、それらの間に設けられてもよい。ただし、全ての吐出部１６から水のみからなる洗浄液を吐出するように、あるいは、全ての吐出部１６から洗剤入り洗浄液を吐出するように、洗浄液吐出システムを構成することもできる。また、洗浄性能を高めるべく、全ての吐出部１６からの洗浄液の吐出は所定圧以上の高圧でなされるとよい。なお、食器洗浄機１０では、一旦吐出された洗浄液は廃棄されるが、一旦吐出された洗浄液は例えば浄化処理及び／又は異物除去処理がなされて再度利用されてもよい。
【００１６】
食器洗浄機１０の食器Ｔの搬送方向ＣＤにおいて、洗浄部１２の上流側（図１中右側）には食器搬入用のテーブル（以下、搬入テーブル）１８が設けられていて、その下流側（図１中左側）には食器搬出用のテーブル（以下、搬出テーブル）２０が設けられている。そして、それら搬入テーブル１８、洗浄部１２及び搬出テーブル２０に亘って、搬送機構１４が設けられている。
【００１７】
搬送機構１４は、複数の回転支持体３０と、それらを駆動するように構成された駆動機構３２とを備える。複数の回転支持体３０の各々は、略円柱状の棒状体である。複数の回転支持体３０は食器Ｔがその上に載置可能であるように設けられる。複数の回転支持体３０の各々は、食器Ｔの搬送方向ＣＤに交差する方向に、特にここでは搬送方向ＣＤに直交する幅方向ＷＤに延在するように配置される。更に、複数の回転支持体３０の各々は、他の回転支持体３０から搬送方向ＣＤにずれて配置され、特に離間配置される。そして、本実施形態では、複数の回転支持体３０は、同一仮想平面上において、好ましくは略水平な同一仮想平面上において、所定の等間隔で配置されている。複数の回転支持体３０の各々は、それぞれ設けられる搬入テーブル１８、洗浄部１２又は搬出テーブル２０において、その両端部を軸受６４で回転可能に支持されている。
【００１８】
なお、搬送方向ＣＤにおける回転支持体３０間の間隔は、被洗浄体である食器Ｔがそれらの間から脱落しないように設計される。その間隔は、特に回転する回転支持体３０の上を食器Ｔが滑らかに搬送方向ＣＤに搬送されるつまり移動することを可能にするように定められる。
【００１９】
複数の回転支持体３０の各々には、搬送方向ＣＤへの食器Ｔの移動を補助するように構成された補助部材が設けられているとよい。補助部材は、滑り止め部材や、回転支持体３０の径方向に延びる翼部材などであってもよく、食器Ｔを傷つけないようにゴム、シリコン等の柔軟な材料つまり可撓性材料で作製されるとよい。
【００２０】
駆動機構３２は、複数の回転支持体３０の各々がそのままの位置でつまりその場でその軸線３０Ａ周りに回転するようにつまり自転するように、該複数の回転支持体３０を駆動するように構成されている。駆動機構３２は、回転駆動力を発生させる駆動力発生装置としての電動モータと、動力伝達機構３６とを備えている。電動モータは、ここではスイッチのＯＮ−ＯＦＦ切替により作動するように構成されているが、その他の制御構成を有してもよい。電動モータの回転速度は一定でもよいが、任意に変更できるとよい。
【００２１】
図１から理解できるように、動力伝達機構３６は、電動モータに対して設けられた駆動歯車３４と、各回転支持体３０に対して設けられた被駆動歯車３８と、これらの駆動歯車３４と被駆動歯車３８とに架け渡される環状動力伝達体４０とを備えている。ここでは、環状動力伝達体４０は無端チェーンとして構成されているが、無端ベルト等であってもよい。
【００２２】
洗浄部１２の複数の吐出部１６は、上で説明したように設けられる複数の回転支持体３０の上下に位置付けられている。図１に模式的に示すように、回転支持体３０の鉛直方向上側の吐出部１６は、洗浄部１２内の下側に向けて、つまり回転支持体３０側に向けて洗浄液を吐出するように設けられ、回転支持体３０の鉛直方向下側の吐出部１６は、洗浄部１２内の上側に向けて、つまり回転支持体３０側に向けて洗浄液を吐出するように設けられている。そして、洗浄液吐出システムにおける、回転支持体３０の鉛直方向下側の複数の吐出部１６は、特に、複数の回転支持体３０の間の隙間から、複数の回転支持体３０の上側に洗浄液が直接的に抜ける又は通過するように、配置されている。なお、本実施形態では、複数の吐出部１６は複数の回転支持体３０の上下に位置付けられているが、例えば複数の回転支持体３０の鉛直方向下側にのみ設けられてもよい。
【００２３】
更に、食器洗浄機１０の搬送機構１４は、複数の回転支持体３０の上側に位置付けられて、この複数の回転支持体３０に対して食器Ｔを押し付けるように構成された押付機構４６を有する。押付機構４６は、支持部４８と、押圧部としての押圧カーテン部５０とを有する。図１に示すように、支持部４８は、洗浄部１２の上流端及び下流端に設けられ、押圧カーテン部５０を支持する。搬送途中の食器は、押圧機構４６の押圧カーテン部５０により回転支持体３０に対して押し付けられる。
【００２４】
さて、本実施形態では、複数の回転支持体３０が交換式搬送ユニット（以下、ユニット）６０にまとめられている。図２に、１つのユニット６０を示す。ユニット６０は、複数の回転支持体３０を上で説明したように保持する構成を備える。ここでは、１つのユニット６０は８本の回転支持体３０を、上述のように等間隔で離間配置するケース部６２を有する。ケース部６２は、各回転支持体３０に対して保持用の軸受６４を２つずつ有する。そして、各回転支持体３０の一端部には、被駆動歯車３８が設けられている。被駆動歯車３８は、ケース部６２から突き出た回転支持体３０の一端部に設けられている。図２に示すように、ユニット６０における複数のここでは８個の被駆動歯車３８は、１つの環状動力伝達体４０と好適に噛み合うように一列になるように設けられている。なお、１つのユニット６０における回転支持体３０の数は、８本に限定されず、２本以上幾つであってもよい。
【００２５】
このユニット６０は、搬送機構１４において、搬送方向ＣＤに並べて配置される。つまり、搬送機構１４には複数のユニット６０が設けられる。図３に、搬送機構１４の一部を模式的に示す。図３では、搬送方向ＣＤにおいて、２つのユニット６０（６０ａ、６０ｂ）を並べて配置しているところを示す。ただし、図３では、ケース部６２のうち、図中上側に位置する部分を省略し、ユニット６０のうち、被駆動歯車３８側を主に示す。なお、図１では、複数のユニット６０のうち中央寄りの１つのユニット６０のみを単に示す。
【００２６】
本実施形態では、図３に示すように、２つのユニット６０はケース部６２が互いに当接するように配置される。この配置において、２つの隣り合うユニット６０では、搬送方向上流側のユニット６０ａの搬送方向下流側端部の回転支持体３０ｂと、搬送方向下流側のユニット６０ｂの搬送方向上流側端部の回転支持体３０ｃとの間隔が、１つのユニット６０における２つの隣り合う回転支持体３０間の間隔と略同じになるように、ケース部６２は設計されている。なお、搬送機構１４において、ユニット６０は離間配置されてもよい。好ましくは、隣り合うユニット６０ａ、６０ｂ間の隣り合う回転支持体３０ｂ、３０ｃの間隔は、１つのユニット６０における２つの隣り合う回転支持体３０間の間隔と略同じになるとよいが、それよりも長いことも短いことも許容され得る。
【００２７】
そして、ユニット６０を交換可能にするように、駆動機構３２は、環状動力伝達体４０の被駆動歯車３８への接触を調節する調節機構７０を更に備える。図１に基づいて、調節機構７０を説明する。
【００２８】
調節機構７０は、移動可能に設けられる歯車７２、７４、７６を備える。歯車７２、７４、７６は、操作レバー７８の操作により、リンク機構が作動し、その位置が変化するように設けられている。以下に説明するように、調節機構７０の作動により、環状動力伝達体４０は被駆動歯車３８と噛み合う搬送状態と、被駆動歯車４０との噛み合いを脱することが可能な交換状態とのうちのいずれかに動かされる。なお、歯車７２、７４、７６の移動機構は機械式であることに限定されず、電気式であってもよい。
【００２９】
搬送機構１４で食器Ｔの搬送を行うとき、操作レバー７８は搬送位置Ｐ１に位置付けられ、これにより、歯車７２、７４、７６は、図１に実線で示す搬送位置に位置付けられる。このとき、複数の被駆動歯車３８に環状動力伝達体４０はしっかりと接触し、それらは十分に噛み合うことができる。
【００３０】
搬送機構１４のメンテナンス時など例えばユニット６０の交換をするとき、操作レバー７８は交換位置Ｐ２に位置付けられる。これにより、歯車７２、７４、７６は、図１に破線で示す交換位置に位置付けられる。図１では、搬送位置にある歯車７２、７４、７６との区別を容易にするように、交換位置にある歯車７２に符号７２ａを付し、交換位置にある歯車７４に符号７４ａを付し、交換位置にある歯車７６に符号７６ａを付している。これにより、環状動力伝達体４０は図１に破線４０ａで示すように被駆動歯車３８と十分に接触しなくなり、よって被駆動歯車３８とのしっかりとした噛み合い状態を脱する。なお、このとき、環状動力伝達体４０はテンションが緩められた状態になってもよく、例えば弛んでもよい。
【００３１】
このように、環状動力伝達体４０が被駆動歯車３８とのしっかりとした噛み合い状態を脱したとき、ユニット６０は、例えば幅方向ＷＤから取り外し可能になる。そして、この状態で、同一の又は別のユニット６０を搬送機構１４のユニット取付部７９に設置することが可能になる。なお、搬送機構１４のユニット取付部７９にユニット６０を設置することで、それらの鉛直方向下側の吐出部１６からの洗浄液がユニット６０の回転支持体３０間を直接的に上側に通過可能になるように、ユニット６０及びユニット取付部７９はそれぞれ設計されている。
【００３２】
このように、歯車７２、７４、７６が図１に実線で示す搬送位置に位置付けられて環状動力伝達体４０が被駆動歯車３８に噛み合う搬送状態（第１状態）にあるとき、電動モータが作動されて、駆動歯車３４の回転が生じる。これにより、環状動力伝達体４０は回転駆動されて被駆動歯車３８は回転される。よって、回転支持体３０はその場で自転するので、食器Ｔの搬送が可能になる。一方、歯車７２、７４、７６が図１に破線で示す交換位置に位置付けられて環状動力伝達体４０が被駆動歯車３８に十分に噛み合わない交換状態（第２状態）にあるとき、電動モータは作動されない。このとき、ユニット６０は、その被駆動歯車３８が環状動力伝達体４０から外れるように動かされ、食器洗浄機１０から取り外され得る。そして、このとき、食器洗浄機１０には、メンテナンス等がされた又は別のユニット６０がユニット取付部７９に位置付けられことが可能になる。このユニット取付部７９へのユニット６０の取り付け後、操作レバー７８を操作して歯車７２、７４、７６を交換位置から搬送位置に動かすことで、ユニット６０の被駆動歯車３８に環状動力伝達体４０を噛み合わせることが可能になる。よって被駆動歯車３８の十分な駆動が可能になる。
【００３３】
以上述べたように、上記搬送機構１４は、上記したように設置される複数の回転支持体３０を有するユニット６０と、環状動力伝達体４０の被駆動歯車３８との接触状態を調節する調節機構７０とを備える。したがって、調節機構７０の操作により、ユニット６０単位で複数の回転支持体を一度に設置したり取り外したりすることが可能になる。よって、搬送機構１４によれば、その保守、点検等のメンテナンスが容易に可能になる。
【００３４】
そして、搬送機構１４では、各ユニット６０はユニット取付部７９に設置されたとき、その鉛直方向下側の吐出部１６からの洗浄液が回転支持体３０間からその上側に直接的に通過可能になる。よって、搬送機構１４によれば、食器洗浄機１０における食器Ｔの洗浄性能を高く維持することが可能になる。
【００３５】
なお、上記搬送機構１４では、調節機構７０において移動式の歯車７２、７４、７６を用いることで環状動力伝達体４０の被駆動歯車３８との接触状態を可変にした。しかし、調節機構７０は、それと共に又はそれとは別に更なる構成を備えてもよい。例えば、図４に示すように、搬送機構１４の調節機構は環状動力伝達体４０のテンションを調節するための調節リンク装置８０を備えることができる。調節リンク装置８０は、支点部８０ｆ周りの第１方向Ａ１ａへの作動で環状動力伝達体４０側に突き出るようになり、支点部８０ｆ周りの第１方向Ａ１ａとは逆側の第２方向Ａ１ｂへの作動で環状動力伝達体４０から離れるようになる。図４（ａ）は環状動力伝達体４０のテンションが高まるように調節リンク装置８０を第１方向Ａ１ａへ操作した搬送状態を示し、図４（ｂ）は環状動力伝達体４０のテンションを下げるつまりそれを弛めるように調節リンク装置８０を第２方向Ａ１ｂへ操作した交換状態を示す。なお、調節リンク装置８０の先端には、自転可能な歯車８２が設けられていて、環状動力伝達体４０に噛み合うことができる。ただし、これら搬送状態及び交換状態の各々での環状動力伝達体４０と被駆動歯車３８との関係は、上述の実施形態で説明した通りであり、以下でも同じである。
【００３６】
図５は、調節リンク装置８０と共に又はそれに代わって用いられ得る、搬送機構１４の調節機構における調節リンク装置９０を示す。調節リンク装置９０は、環状動力伝達体４０に接触するとき、環状動力伝達体４０に噛み合わずに環状動力伝達体４０がそれに沿って滑るように、その先端に滑り部材９２を備えて構成されている。調節リンク装置９０は、支点部９０ｆ周りの第１方向Ａ２ａへの動作で環状動力伝達体４０側に突き出て接するようになり、支点部８０ｆ周りの第１方向Ａ２ａとは逆側の第２方向Ａ２ｂへの動作で環状動力伝達体４０から離れるようになる。図５（ａ）は環状動力伝達体４０のテンションが高まるように調節リンク装置９０を第１方向Ａ２ａへ操作した搬送状態を示し、図５（ｂ）は環状動力伝達体４０のテンションを下げるつまりそれを弛めるように調節リンク装置９０を第２方向Ａ２ｂへ操作した交換状態を示す。
【００３７】
以上、本考案の実施形態及び変形例について説明したが、本考案はそれらに限定されない。本願の特許請求の範囲によって定義される本考案の精神及び範囲から逸脱しない限り、種々の置換、変更が可能である。
【００３８】
例えば上記実施形態及び変形例の任意の一部同士の種々の組み合わせが可能である。例えば、本考案は、種々の社員食堂、レストラン、学校、病院などで用いられる業務用の食器洗浄機に適用することができる。
【符号の説明】
【００３９】
１０  食器洗浄機
１２  洗浄部
１４  搬送機構
１６  洗浄液吐出部
１８  搬入テーブル
２０  搬出テーブル
３０  回転支持体
３２  駆動機構
３４  駆動歯車
３６  動力伝達機構
３８  被駆動歯車
４０  環状動力伝達体
４６  押付機構
４８  支持部
５０  押圧カーテン部
６０  交換式搬送ユニット
６２  ケース部
６４  軸受
７０  調節機構
７２、７４、７６  歯車
７８  操作レバー
７９  ユニット取付部
８０、９０  調節リンク装置
８２  歯車
【図１】
0003228465.tif 000003
【図２】
0003228465.tif 000004
【図３】
0003228465.tif 000005
【図４】
0003228465.tif 000006
【図５】
0003228465.tif 000007